(57)【要約】【課題】ブラシ部を有する染毛用具において、毛髪の根元も含めて毛髪全体に染毛剤を容易に塗布できるようにし、また、櫛歯列を形成した成型体にブラシ毛を直接的に植毛できるようにする。【解決手段】染毛用具１Ａが、ブラシ毛３１の植毛部３２の列と、該植毛部３２の列に並設された櫛歯３３の列からなるブラシ部３０Ａを有する。ブラシ部３０Ａのブラシ毛３１の高さを櫛歯３３の高さよりも高くする。【選択図】図１
2008178716.tif 000002
【特許請求の範囲】
【請求項１】
丸棒状の櫛歯の櫛歯列とブラシ毛の植毛部列からなるブラシ部を有し、該ブラシ部において、植毛部列と櫛歯列とが並設し、ブラシ毛の高さが櫛歯の高さよりも高い染毛用具を、該染毛用具の櫛歯列から植毛部列方向に動かすことにより毛髪に染毛剤を塗布する方法。
【発明の詳細な説明】
【技術分野】
【０００１】
本発明は、ブラシ毛の植毛部列からなるブラシ部を有する染毛用具に関する。
【背景技術】
【０００２】
従来、図１５に示すように、板状の把持部１０の一端に、該把持部１０と一体に樹脂成型された櫛部２０と、ブラシ毛３１が植毛されたブラシ部３０とを有し、他端にテール部４０を有する染毛用櫛１Ｘが知られている。図１６は、このブラシ部３０の模式的側面図（ａ）と上面図（ｂ）である。かかる染毛用櫛１Ｘにおいて、ブラシ部３０は、毛先に染毛剤を付着させて毛髪に塗布するため、また、染毛剤が第１剤と第２剤からなる二剤式のものである場合には、予め第１剤と第２剤を混合するためにも使用される。櫛部２０は、毛髪に塗布した染毛剤を毛髪全体にいきわたらせるために使用される。テール部４０は、毛髪を分け、染毛剤を塗布する毛髪の部位を表面に露出させるために使用される（特許文献１参照）。
【０００３】
しかしながら、染毛用櫛１Ｘにおいて、ブラシ部３０を毛髪に押し付けると、図１７のようにブラシ部３０のブラシ毛３１がばらけたり、ブラシ毛３１の先端がカールする。そのため、ブラシ部３０で毛髪をといた場合に、図１８（ａ）に示すように、ブラシ毛３１が専ら頭の表面だけをなでるので、毛髪Ｈの根元への染毛剤Ａの塗布が難しくなり、また同図（ｂ）に示すようにブラシ部３０を頭に押し付けると、ブラシ毛３１がねてしまい、毛髪Ｈの根元への染毛剤Ａの塗布が一層難しくなる。
【０００４】
一方、染毛用櫛において、染毛剤を頭皮に付着させることなく、染毛作業をスムーズに行えるようにするため、櫛部の少なくとも一方の側部に、櫛部の櫛歯の長さよりも短い長さの毛からなるブラシ部を並設することが提案されている（特許文献２参照）。この染毛用櫛によれば、櫛歯とブラシ毛との段差部分に染毛剤が保持されるので、頭の表面に染毛剤を塗布することが容易となる。しかしながら、毛髪の根元への塗布性は改善されない。
【０００５】
なお、染毛剤の吐出孔を有する櫛歯をブラシ部に並設させた櫛体を有する染毛用具に関しては、櫛体に、その櫛歯よりも長尺のブラシ毛からなるブラシ体を、櫛歯とブラシ毛の植毛部とが一列になるように着脱自在に被着させ、吐出孔から注出した染毛剤の周囲への飛び散り等を防止すること（特許文献３参照）や、吐出孔を有する櫛歯を配列させた櫛体の一方又は両方の側面の基部を覆うように、その櫛歯よりも短尺の刷毛を配列し、それにより櫛歯あるいは刷毛と毛髪との接触点を増し、毛髪全体への染毛剤の塗布を速やかに行えるようにすること（特許文献４参照）が提案されている。
【０００６】
しかしながら、これらの染毛用具は、ブラシ体を、櫛体と別部材として形成し、櫛体に被着させるので、製品コストが高くなる。これに対しては、櫛体の櫛歯の間隙に、直接的にブラシ毛を植毛することが考えられるが、植毛部と櫛歯を一列にすると、櫛歯がじゃまとなって植毛することができない。また、ブラシ毛が櫛歯よりも短尺の場合には、前述と同様に、毛髪の根元への染毛剤の塗布性を改善することができない。
【０００７】
【特許文献１】特開平１０−７１０２０号公報
【特許文献２】実開平６−４１６０２号公報
【特許文献３】特開２００２−６５３３８号公報、段落００１６、段落００１７、段落００２０、図１、図２
【特許文献４】特開平９−３１３２４３号公報、段落００１８、段落００２０、図１、図２
【発明の開示】
【発明が解決しようとする課題】
【０００８】
これに対し、本発明は、ブラシ部を有する染毛用具において、毛髪の根元への塗布を容易に行えるように、ブラシ毛の植毛部列と櫛歯列とを組合せ、かつブラシ毛を個々の櫛歯間に直接的に植毛できるようにすることを目的とする。
【課題を解決するための手段】
【０００９】
本発明者は、ブラシ部を有する染毛用具において、ブラシ毛の植毛部列と櫛歯列とを並設させ、ブラシ毛の高さを櫛歯の高さよりも高くすると、櫛歯列からブラシ毛の植毛部列の方にブラシ部を動かして毛髪をといた場合にブラシ毛がばらけることを抑制し、ブラシ毛の弾性を活かして塗布作業を行えること、また、櫛歯によって毛髪の根元に染毛剤を送りこみ、それをブラシ毛で広げることにより、頭の表面だけでなく、毛髪の根元まで、染毛剤を均一に塗布できること、さらに、ブラシ毛の植毛部と櫛歯とを一列にすることなく、ブラシ毛の植毛部列と櫛歯列とを並設することにより、櫛歯間にブラシ毛を直接に植毛できることを見出した。
【００１０】
即ち、本発明は、ブラシ毛の植毛部列と、該植毛部列に並設された櫛歯列からなるブラシ部を有し、該ブラシ部のブラシ毛の高さが櫛歯の高さよりも高い染毛用具を提供する。
【発明の効果】
【００１１】
本発明の染毛用具によれば、ブラシ部において、ブラシ毛の植毛部列と櫛歯列とが並設し、ブラシ毛の高さが櫛歯の高さよりも高いので、毛髪の根元も含めて毛髪全体に染毛剤を容易に塗布することができ、また、ブラシ毛を櫛歯列を形成した成型体に直接的に植毛することができる。
【発明を実施するための最良の形態】
【００１２】
以下、図面を参照しつつ本発明を詳細に説明する。なお、各図中、同一符号は同一又は同等の構成要素を表している。
【００１３】
図１は、本発明の一実施例の染毛用具１Ａの側面図、図２はそのブラシ部付近の斜視図、図３はそのブラシ部の模式的側面図と上面図である。
【００１４】
この染毛用具１Ａは、板状の把持部１０の一端に、該把持部１０と一体に樹脂成型された櫛部２０と、ブラシ毛３１の植毛部３２の列からなるブラシ部３０Ａとを有し、他端にテール部４０を有する点では図１５の染毛用櫛１Ｘと同様であるが、ブラシ部３０Ａにおいて、ブラシ毛３１の植毛部列に、ブラシ毛３１よりも高さの低い櫛歯３３の櫛歯列が並設されている点が異なっている。また、ブラシ毛３１の植毛部３２と櫛歯３３とは千鳥配列になっている。
【００１５】
したがって、この染毛用具１Ａは、櫛部２０、把持部１０、テール部４０、及びブラシ部３０Ａの櫛歯３３を一体的に樹脂成型した後、その樹脂成型品のブラシ部３０Ａに直接的にブラシ毛３１を植毛することにより製造することができる。
【００１６】
このブラシ部３０Ａは、二剤式染毛剤の第１剤と第２剤の混合や、染毛剤の毛髪への塗布に使用されるが、ブラシ毛３１が櫛歯３３よりも長いために、剤の混合を容易に行うことができる。
【００１７】
また、染毛剤Ａを毛髪Ｈに塗布する際に、図４（ａ）に矢印で示すように、櫛歯３３からブラシ毛３１の植毛部３２の方にブラシ部３０Ａを動かすと、櫛歯３３によって毛髪Ｈを梳くことができる。このとき、ブラシ毛３１が染毛剤Ａを頭皮方向に押え付けるので毛髪Ｈの根元に染毛剤Ａが送り込まれ易くなり、さらに染毛剤Ａをブラシ毛３１がその弾性を活かして広げるので、毛髪Ｈの根元も含めて毛髪全体に染毛剤Ａを均一に塗布することができる。なお、図４（ｂ）に矢印で示すように、ブラシ毛３１から櫛歯３３の方にブラシ部３０Ａを動かすと、ブラシ毛３１が染毛剤Ａを頭皮方向に押さえ付ける力が分散するために毛髪Ｈの根元への塗布性が低下するので、このブラシ部３０Ａの使用時には、同図（ａ）に矢印で示すように、櫛歯３３からブラシ毛３１の方にブラシ部３０Ａを動かすことが好ましい。
【００１８】
また、このブラシ部３０Ａは、櫛歯３３からブラシ毛３１の方にブラシ部３０Ａを動かす場合にブラシ部３０Ａを頭皮に押し付けても、図５に示すように、ブラシ毛３１がばらけることを櫛歯３３によって抑制することができ、さらに、図４（ａ）に示すように、ブラシ毛３１の頭皮に対する角度を染毛剤Ａの塗布に適した角度に維持することができる。したがって、染毛剤Ａの塗布性が向上する。
【００１９】
ここで、ブラシ毛３１は、成形直後の曲げ弾性率８〜１３×１０６Ｐａのポリアミド樹脂等の素材から形成し、直径０．２〜０．３ｍｍ、長さＬ1 １５〜２５ｍｍとすることが好ましい。
【００２０】
また、櫛歯３３は、直径１〜３ｍｍ、長さＬ2 １０〜２０ｍｍとすることが好ましい。
【００２１】
図６は、異なる本発明の態様の染毛用具のブラシ部の模式的側面図と上面図である。この染毛用具は、前述の染毛用具１Ａに対して、ブラシ部３０Ｂにおいて、ブラシ毛３１の植毛部３２の列の両側に櫛歯３３の列が設けられており、この植毛部３２と櫛歯３３とが千鳥配列になっている点が異なっている。
【００２２】
このように、ブラシ毛３１の植毛部３２の列の両側に櫛歯３３の列を設けることにより、染毛剤の塗布時に、図７に示す左右いずれの矢印方向にブラシ部３０Ｂを動かしても、染毛剤Ａの毛髪Ｈの根元への塗布性を向上させることができる。
【００２３】
図８は、ブラシ部３０Ｃにおいて、櫛歯３３の列の両側にブラシ毛３１の植毛部３２の列を設けた本発明の染毛用具のブラシ部３０Ｃの模式図である。この態様によっても、図６の態様のブラシ部３０Ｂと同様の効果を得ることができる。
【００２４】
この他、本発明においてブラシ部は種々の態様をとることができる。例えば、ブラシ毛３１の植毛部３２と櫛歯３３とは千鳥配列に限られず、図９のブラシ部３０Ｄのように、染毛剤の塗布時にブラシ部３０Ｄを動かす方向（図９（ｂ）の上下方向）に、植毛部３２と櫛歯３３とが重ならないようにしてもよく、反対に、図１０のブラシ部３０Ｅのように、図１０（ｂ）の上下方向で植毛部３２と櫛歯３３とが重なるようにしてもよい。
【００２５】
また、図１１のブラシ部３０Ｆのように、櫛歯３３に対して、ブラシ毛３１の植毛部３２を連続的に配列してもよい。
【００２６】
図１２のブラシ部３０Ｇのように、ブラシ毛３１の植毛部３２の列に櫛歯３３の列を部分的に並設（髪の毛をすく方向）させてもよい。これにより、ブラシ部３０Ｇのブラシ毛３１の植毛部３２と櫛歯３３が並設する部分を全体染に使用して毛髪Ｈの根元への塗布性を向上させ、また、ブラシ部３０Ｇの先端の植毛部３２が多い部分（図１２では櫛歯３３の列が設けられてない部分）で、二剤式染毛剤の第１剤と第２剤を容易に混合することが可能となる（混合性）。更に、この先端部分にのみ二剤式染毛剤の混合液を付けることで部分染に使用してもよい。
【００２７】
また、図１３のブラシ部３０Ｈのように、櫛歯列を形成する個々の櫛歯３３の先端部の包絡線（図中、破線で示す）に、頭の外形に適合するように曲率をもたせて、塗布性をより向上させてもよい。
【００２８】
本発明の染毛用具は、ブラシ部において、ブラシ毛の植毛部列と櫛歯列とを並設させ、かつブラシ部のブラシ毛の高さを櫛歯列の櫛歯の高さよりも高くする限り、種々の態様をとることができる。例えば、図１に示した染毛用具１Ａでは、櫛部２０、ブラシ部３０Ａ、把持部１０及びテール部４０が一体に形成されているが、図１４に示す染毛用具１Ｂのように、櫛部２０及びブラシ部３０Ａ側と、テール部４０側とを別部材に構成し、これらが把持部１０で着脱自在に嵌合するようにしてもよい。
【００２９】
また、図１に示した染毛用具１Ａにおいて、櫛部２０やテール部４０を省略してもよい。
【００３０】
さらに、ブラシ部の櫛歯に染毛剤の吐出路を形成すると共に、染毛剤の吐出孔を形成し、その吐出路を、染毛剤を収容した容器と連通させ、容器内の染毛剤が櫛歯から吐出されるようにしてもよい（特許文献３、特許文献４参照）。
【図面の簡単な説明】
【００３１】
【図１】本発明の染毛用具の側面図である。
【図２】本発明の染毛用具のブラシ部付近の斜視図である。
【図３】本発明の染毛用具のブラシ部の模式的側面図（ａ）と上面図（ｂ）である。
【図４】本発明の染毛用具の作用の説明図である。
【図５】本発明の染毛用具の作用の説明図である。
【図６】本発明の染毛用具のブラシ部の模式的側面図（ａ）と上面図（ｂ）である。
【図７】本発明の染毛用具の作用の説明図である。
【図８】本発明の染毛用具のブラシ部の模式的側面図（ａ）と上面図（ｂ）である。
【図９】本発明の染毛用具のブラシ部の模式的側面図（ａ）と上面図（ｂ）である。
【図１０】本発明の染毛用具のブラシ部の模式的側面図（ａ）と上面図（ｂ）である。
【図１１】本発明の染毛用具のブラシ部の模式的側面図（ａ）と上面図（ｂ）である。
【図１２】本発明の染毛用具のブラシ部の模式的側面図（ａ）と上面図（ｂ）である。
【図１３】本発明の染毛用具のブラシ部の模式的側面図（ａ）と上面図（ｂ）である。
【図１４】本発明の染毛用具の側面図である。
【図１５】従来の染毛用櫛の側面図である。
【図１６】従来の染毛用櫛のブラシ部の模式的側面図（ａ）と上面図（ｂ）である。
【図１７】従来の染毛用櫛の使用時のブラシ部の側面図である。
【図１８】従来の染毛用櫛のブラシ部の作用の説明図である。
【符号の説明】
【００３２】
１Ａ、１Ｂ    染毛用具
１０      把持部
２０      櫛部
３０Ａ、３０Ｂ、３０Ｃ、３０Ｄ、３０Ｅ、３０Ｆ、３０Ｇ、３０Ｈ      ブラシ部
３１      ブラシ毛
３２      植毛部
３３      櫛歯
４０      テール部
【図１】
2008178716.tif 000003
【図２】
2008178716.tif 000004
【図３】
2008178716.tif 000005
【図４】
2008178716.tif 000006
【図５】
2008178716.tif 000007
【図６】
2008178716.tif 000008
【図７】
2008178716.tif 000009
【図８】
2008178716.tif 000010
【図９】
2008178716.tif 000011
【図１０】
2008178716.tif 000012
【図１１】
2008178716.tif 000013
【図１２】
2008178716.tif 000014
【図１３】
2008178716.tif 000015
【図１４】
2008178716.tif 000016
【図１５】
2008178716.tif 000017
【図１６】
2008178716.tif 000018
【図１７】
2008178716.tif 000019
【図１８】
2008178716.tif 000020